(57)【要約】【課題】単一の駆動手段に備えられる出力用接続端子の数が、複数の表示手段に備えられる入力用接続端子の数より少ない表示装置を提供する。【解決手段】第１液晶表示部１ａと、第２液晶表示部１ｂと、これら２つの液晶表示部をいずれも駆動する単一のゲートドライバ２ａと、それぞれの液晶表示部を駆動する２つのソースドライバ３ｂと、制御部とを備える液晶表示装置において、それぞれの液晶表示部内に備えられる選択部は、２つの互い極性の異なるスイッチからなり、上記制御部は、上記の単一のゲートドライバ２ａが選択的に駆動するように、スイッチのオン・オフを切り替えて、２つの液晶表示部に備えられる選択部を制御する。【選択図】図１
2005055467.tif 000002
【特許請求の範囲】
【請求項１】
接続手段によって互いに接続された複数の表示手段を、少なくとも１つの共有の駆動手段により駆動する表示装置において、
上記共有の駆動手段から上記複数の表示手段に共通の駆動信号が出力され、
上記共有の駆動手段から上記複数の表示手段に出力される駆動信号の合計数は、上記表示手段のそれぞれに入力される駆動信号の数の合計数未満であることを特徴とする表示装置。
【請求項２】
表示すべき表示手段を選択する選択手段と、
上記共有の駆動手段から上記表示手段に出力される駆動信号に応じて、上記選択手段を制御する制御手段とを備えることを特徴とする請求項１に記載の表示装置。
【請求項３】
上記制御手段からの制御信号が入力され、かつ、上記選択手段に接続された制御線と、
上記共有の駆動手段からの駆動信号が入力され、かつ、上記選択手段に接続された共通配線と、
スイッチング素子が接続された第１配線と、スイッチング素子が接続されていない第２配線とを含み、かつ、上記選択手段に接続された第１配線群とを備え、
上記制御手段は、表示すべき上記表示手段の上記第１配線に、上記駆動信号を出力するように、上記選択手段を制御することを特徴とする請求項２に記載の表示装置。
【請求項４】
上記選択手段は、互いに極性が異なる第１スイッチと第２スイッチとからなる第１選択手段と、上記第１スイッチと極性が等しい第３スイッチと、上記第２スイッチと極性が等しい第４スイッチとからなる第２選択手段とからなり、
上記表示手段は、第１表示手段と第２表示手段とを備え、
上記第１表示手段は、
上記制御線と、上記共通配線と、上記第１選択手段と、上記第１スイッチに接続された上記第１配線と、上記第２スイッチに接続された上記第２配線とを含む上記第１配線群とを備え、
上記第２表示手段は、
上記制御線と、上記共通配線と、上記第２選択手段と、上記第３スイッチに接続されたスイッチング素子が接続されていない第３配線と、上記第４スイッチに接続されたスイッチング素子が接続されている第４配線とを含む第２配線群とを備え、
上記接続手段は、上記第１表示手段と第２表示手段との制御線同士を接続する制御線接続配線と、上記第１配線群と第２配線群とを接続する第１接続配線とを備えていることを特徴とする請求項３に記載の表示装置。
【請求項５】
第３表示手段と第４表示手段とを備え、第１駆動手段と第２駆動手段とを共有する表示装置であって、
上記選択手段は、互いに極性が異なる第１スイッチと第２スイッチとからなる第１選択手段と、上記第１スイッチと極性が等しい第３スイッチと、上記第２スイッチと極性が等しい第４スイッチとからなる第２選択手段と、上記第１スイッチと極性が等しい第５スイッチと、第２スイッチと極性が等しい第６スイッチとからなる第３選択手段と、上記第１スイッチと極性が等しい第７スイッチと、第２スイッチと極性が等しい第８スイッチとからなる第４選択手段とからなり、
上記第３表示手段は、
上記制御線と、上記第１駆動手段からの駆動信号が入力され、かつ、上記第１選択手段に接続された第１共通配線と、上記第２駆動手段からの駆動信号が入力され、かつ、上記第２選択手段に接続された第２共通配線と、上記第１選択手段と、上記第２選択手段と、上記第１スイッチに接続された上記第１配線と、上記第２スイッチに接続された上記第２配線とを含む上記第１配線群と、上記第３スイッチに接続されたスイッチング素子が接続されている第５配線と、上記第４スイッチに接続されたスイッチング素子が接続されていない第６配線とを含み、かつ、上記第２選択手段に接続された第３配線群とを備え、
上記第４表示手段は、
上記制御線と、上記第１共通配線と、上記第２共通配線と、上記第３選択手段と、上記第４選択手段と、上記第５スイッチに接続されたスイッチング素子が接続されていない第７配線と、上記第６スイッチに接続されスイッチング素子が接続されている第８配線とを含み、かつ、上記第３選択手段に接続された第３配線群と、上記第７スイッチに接続されスイッチング素子が接続されていない第９配線と、上記第８スイッチに接続されスイッチング素子が接続されている第１０配線とを含み、かつ、上記第４選択手段に接続された第４配線群とを備え、
上記接続手段は、上記第３表示手段と第４表示手段との制御線同士を接続する制御線接続配線と、上記第１配線群と第３配線群とを接続する第２接続配線と、上記第２配線群と第４配線群とを接続する第３接続配線とを備えていることを特徴とする請求項３に記載の表示装置。
【請求項６】
上記選択手段は、互いに極性が異なる第１スイッチと第２スイッチとからなる第１選択手段であり、
上記表示手段は、上記制御線と、上記共通配線と、上記選択手段と、上記第１配線と、上記第２配線とを有する上記第１配線群とを備えた表示手段を複数有し、
上記接続手段は、上記表示手段の制御線同士を接続する制御線接続配線と、上記第１配線群同士を接続する第４接続配線とを備え、
上記制御手段から上記制御線に出力された制御信号の極性を反転させる反転手段を備えていることを特徴とする請求項３に記載の表示装置。
【請求項７】
第１駆動手段と第２駆動手段とを共有する表示装置であって、
上記選択手段は、互いに極性が異なる第１スイッチと第２スイッチとからなる第１選択手段と、上記第１スイッチと極性が等しい第３スイッチと上記第２スイッチと極性が等しい第４スイッチとからなる第２選択手段とからなり、
上記表示手段は、上記第１駆動手段からの駆動信号が入力され、かつ、上記第１選択手段に接続された第１共通配線と、上記第２駆動手段からの駆動信号が入力され、かつ、上記第２選択手段に接続された第２共通配線と、上記第１選択手段と、上記第２選択手段と、上記第１スイッチに接続された上記第１配線と、上記第２スイッチに接続された上記第２配線とを含む上記第１配線群と、上記第３スイッチに接続されたスイッチング素子が接続されている第５配線と、上記第４スイッチに接続されたスイッチング素子が接続されていない第６配線とを含み、かつ、上記第２選択手段に接続された第２配線群とを備えた表示手段を複数備え、
上記接続手段は、上記表示手段の上記制御線同士を接続する制御線接続配線と、上記第１配線群同士を接続する第４接続配線と、上記第２配線群同士を接続する第５接続配線とを備え、
上記制御手段から上記制御線に出力された制御信号の極性を反転させる反転手段を備えていることを特徴とする請求項３に記載の表示装置。
【請求項８】
上記反転手段は、上記制御線、または、上記接続手段に備えられていることを特徴とする請求項６または７に記載の表示装置。
【発明の詳細な説明】
【０００１】
【発明の属する技術分野】
本発明は、表示装置に関し、より詳しくは、複数の表示部を単一の駆動回路で駆動できる表示装置、例えば、複数の液晶表示素子のゲート信号電極又はソース信号電極を単一のゲートドライバ又はソースドライバで駆動できる液晶表示装置に関する。
【０００２】
【従来の技術】
近年、クラムシェル型の折り畳み可能な携帯電話機器を筆頭として、複数の表示部（表示手段）を有する表示装置が広く利用されるようになってきた。このような装置は、たとえば折り畳み可能な携帯電話を例に挙げると、開いた状態で利用する際に閲覧する、メイン画面の表示部と、折り畳んだ際に利用する、サブ画面の表示部を典型的に有している。携帯電話を折り畳んだ状態では、サブ画面に、たとえば電波の強度情報、時刻情報、着信履歴情報、メール受信状況など、ユーザが必要とするいくつかの有益な情報が表示される。こういった情報を、携帯電話をいちいち開くことなくユーザが確認できるため、折り畳み可能な携帯電話などの、複数の表示画面を有する表示装置は、操作性に優れ、かつユーザフレンドリーな機能を持つ機器として、一般的に利用されるようになっている。
【０００３】
ところで、表示装置に含まれる表示部に、何らかの情報を表示する場合、その表示部を駆動する駆動部が必要となる。ここで、複数の表示部を駆動する場合、それらに対応する複数の駆動部を設けると、装置内部の空間を不必要に占めることになり、装置の物理的サイズが大きくなったり、コストが高くなるなど、さまざまな問題が発生する恐れがある。こういった問題に対処すため、複数の表示部を有する表示装置において、それらの表示部を、単一の駆動部で駆動することができる装置が、いくつか知られている。
【０００４】
たとえば、特許文献１には、ｎ個の第１信号電極とｋ個のスキャン電極を備えた第１表示手段と、ｎ個の第２信号電極とｍ−ｋ個のスキャン電極を備えた第２表示手段と、前記第１表示手段のｋ個のスキャン電極と前記第２表示手段のｍ−ｋ個のスキャン電極に連結されるｍ個のスキャン電極ライン、及び前記第１信号電極のうち一つと前記第２信号電極のうち一つに相応してそれぞれ連結されるｎ個の信号電極ラインを備えて前記第１表示手段及び第２表示手段を駆動するドライバ、とを含むことを特徴とする移動通信端末機、が開示されている。
【０００５】
この移動通信端末では、特許文献１の図３に記載されているように、第１表示手段の信号電極と、第２表示手段の信号電極とを、フレキシブル配線基板（以下：ＦＰＣ）を介して接続し、見かけ上１本の信号電極とさせて、駆動用ドライバが有する同じ信号電極ラインに接続している。一方、第１表示手段のスキャン電極と、第２表示手段のスキャン電極は、駆動用ドライバのそれぞれのスキャン電極ラインに接続されている。
【０００６】
また、特許文献２には、複数の表示部と、各表示部を接続する柔軟なケーブルと、各表示部を駆動する唯一の表示駆動部からなる表示装置、が開示されている。
【０００７】
【特許文献１】
特開２００１−０６７０４９号公報
（公開日：平成１３年（２００１年）３月１５日）
【０００８】
【特許文献１】
特開２００１−２８２１４５号公報
（公開日：平成１３年（２００１年）１０月１２日）
【０００９】
【発明が解決しようとする課題】
しかし、これらの特許文献における発明は、いずれも、複数の表示部（表示手段）を単に直列に接続して、単一の駆動用ドライバ（駆動手段）で駆動するに過ぎない。したがって、これらの発明で利用される駆動用ドライバには、複数の表示手段の接続端子数に相当する数の接続端子を設ける必要があった。たとえば、特許文献１において開示される移動通信端末では、第１表示手段のスキャン電極数と、第２表示手段のスキャン電極数を合計した数のスキャン電極ラインを、駆動用ドライバに設けなければならない。すなわち、複数の表示手段が有するスキャン電極数の合計数が、駆動用ドライバのスキャン電極ラインの数と等しい構成になっている。そのため、駆動用ドライバの接続端子数が、従来用いられている駆動用ドライバに比較して増加することとなり、その結果、駆動用ドライバの物理的サイズが大きくなったり、製造コストが高くなったりするなどの問題が生じていた。さらに、特許文献１における発明では、第２表示手段のスキャン電極と駆動用ドライバのスキャン電極ラインとを接続する配線を、第１表示手段側に設ける必要があり、その分、第１表示手段の外形サイズが大きくなってしまう問題もあった。また、以上のように駆動用ドライバや表示手段のサイズが大きくなると、表示装置内の空間を効率的に使用できなくなり、結果的に表示装置全体の物理的サイズが大きくなって、装置の製造コストが上昇し、消費電力が大きくなるという問題も発生していた。
【００１０】
本発明は上記問題点に鑑みなされたものであり、その目的は、複数の表示手段と、複数の表示手段を互いに接続する接続手段と、複数の表示手段を共有の駆動手段によって駆動する表示装置において、駆動手段の接続端子数を減らすことによって駆動手段の物理的サイズや製造コストを低減させることができる表示装置を提供することにある。
【００１１】
【課題を解決するための手段】
本発明の表示装置は、上記の課題を解決するために、接続手段によって互いに接続された複数の表示手段を、少なくとも１つの共有の駆動手段により駆動する表示装置において、上記共有の駆動手段から上記複数の表示手段に共通の駆動信号が出力され、上記共有の駆動手段から上記複数の表示手段に出力される駆動信号の合計数は、上記表示手段のそれぞれに入力される駆動信号の数の合計数未満であることを特徴としている。
【００１２】
上記構成によれば、共有の駆動手段から出力される共通の駆動信号の数が、複数の表示手段のそれぞれに入力される駆動信号の合計数よりも少ない構成となっているため、共有の駆動手段に設けられる、駆動信号出力用の接続端子数は、上記の表示手段に設けられる、駆動信号入力用の接続端子の合計数よりも少ない構成となる。したがって、共有の駆動手段からの共通の駆動信号を、複数の表示手段に出力することによって、表示することができる。その結果、余分な接続端子を駆動手段に設ける必要が無く、駆動手段の物理的サイズを低減することができる。また、この駆動手段を実装する際に、余分な製造プロセスを省くことができるため、製造コストを低減することができる。さらに、駆動手段の物理的サイズや製造コストが低減するため、この駆動手段を有する装置全体の物理的サイズや製造コストも低減させることができる。
【００１３】
また、本発明の表示装置は、少なくとも１つの共有の駆動手段によって駆動されればよいので、例えばゲートドライバやソースドライバなど、異なる目的で利用される２種類の駆動手段を共有する表示装置において、両方の駆動手段の物理的サイズを低減することもできる。したがって、表示装置全体の物理的サイズを、さらに低減させることができる。また、両方の駆動手段の製造コストを低減できるため、ひいては、表示装置全体の製造コストも、さらに低減させることができる。
【００１４】
本発明の表示装置は、表示すべき表示手段を選択する選択手段と、上記共有の駆動手段から上記表示手段に出力される駆動信号に応じて、上記選択手段を制御する制御手段とを備えているものであってもよい。
【００１５】
上記構成によれば、制御手段が、駆動信号に応じて、表示すべき表示手段を駆動するように選択手段を制御するため、共通の駆動信号を用いて複数の表示手段を選択的に駆動することができる。これにより、単一の駆動手段より出力された共通の駆動信号を、複数の表示手段で共有できるため、駆動手段に設けられる、駆動信号出力用の接続端子の数を、複数の表示手段に設けられる、駆動信号入力用の接続端子の合計数よりも少なくすることができる。その結果、共有の駆動手段の物理的サイズを低減し、表示装置の製造コストを低減することができる。
【００１６】
本発明の表示装置は、上記制御手段からの制御信号が入力され、かつ、上記選択手段に接続された制御線と、上記共有の駆動手段からの駆動信号が入力され、かつ、上記選択手段に接続された共通配線と、スイッチング素子が接続された第１配線と、スイッチング素子が接続されていない第２配線とを含み、かつ、上記選択手段に接続された第１配線群とを備え、上記制御手段は、表示すべき上記表示手段の上記第１配線に、上記駆動信号を出力するように、上記選択手段を制御するものであってもよい。
【００１７】
上記構成によれば、共通の駆動信号を利用して、複数の表示手段のうち、任意の表示手段におけるスイッチング素子を駆動させることができる一方で、それ以外の表示手段のスイッチング素子を駆動することなく、駆動信号を次に続く表示手段に経由させることができる。すなわち、共通の駆動信号で複数の表示手段を選択的に駆動できるため、共有の駆動手段に設けられる、共通の駆動信号出力用の接続端子数を、複数の表示手段に設けられる、共有の駆動信号入力用の接続端子の合計数よりも少なくすることができる。その結果、第１駆動手段の物理的サイズを低減し、表示装置の製造コストを低減することができる。
【００１８】
本発明の表示装置は、上記選択手段は、互いに極性が異なる第１スイッチと第２スイッチとからなる第１選択手段と、上記第１スイッチと極性が等しい第３スイッチと、上記第２スイッチと極性が等しい第４スイッチとからなる第２選択手段とからなり、上記表示手段は、第１表示手段と第２表示手段とを備え、上記第１表示手段は、上記制御線と、上記共通配線と、上記第１選択手段と、上記第１スイッチに接続された上記第１配線と、上記第２スイッチに接続された上記第２配線とを含む上記第１配線群とを備え、上記第２表示手段は、上記制御線と、上記共通配線と、上記第２選択手段と、上記第３スイッチに接続されたスイッチング素子が接続されていない第３配線と、上記第４スイッチに接続されたスイッチング素子が接続されている第４配線とを含む第２配線群とを備え、上記接続手段は、上記第１表示手段と第２表示手段との制御線同士を接続する制御線接続配線と、上記第１配線群と第２配線群とを接続する第１接続配線とを備えているものであってもよい。
【００１９】
上記構成によれば、互いに極性の異なるスイッチを選択手段に利用するため、簡素な回路構成で、選択手段を実装することができる。また、第１表示手段と第２表示手段とで、スイッチング素子が接続される配線が接続するスイッチの極性が互いに異なるため、共通の駆動信号を利用して、反転手段を設けることなく、いずれか一方の表示手段を駆動することができる。したがって、より簡素な回路構成とすることができる。
【００２０】
本発明の表示装置は、第３表示手段と第４表示手段とを備え、第１駆動手段と第２駆動手段とを共有する表示装置であって、上記選択手段は、互いに極性が異なる第１スイッチと第２スイッチとからなる第１選択手段と、上記第１スイッチと極性が等しい第３スイッチと、上記第２スイッチと極性が等しい第４スイッチとからなる第２選択手段と、上記第１スイッチと極性が等しい第５スイッチと、第２スイッチと極性が等しい第６スイッチとからなる第３選択手段と、上記第１スイッチと極性が等しい第７スイッチと、第２スイッチと極性が等しい第８スイッチとからなる第４選択手段とからなり、上記第３表示手段は、上記制御線と、上記第１駆動手段からの駆動信号が入力され、かつ、上記第１選択手段に接続された第１共通配線と、上記第２駆動手段からの駆動信号が入力され、かつ、上記第２選択手段に接続された第２共通配線と、上記第１選択手段と、上記第２選択手段と、上記第１スイッチに接続された上記第１配線と、上記第２スイッチに接続された上記第２配線とを含む上記第１配線群と、上記第３スイッチに接続されたスイッチング素子が接続されている第５配線と、上記第４スイッチに接続されたスイッチング素子が接続されていない第６配線とを含み、かつ、上記第２選択手段に接続された第３配線群とを備え、上記第４表示手段は、上記制御線と、上記第１共通配線と、上記第２共通配線と、上記第３選択手段と、上記第４選択手段と、上記第５スイッチに接続されたスイッチング素子が接続されていない第７配線と、上記第６スイッチに接続されスイッチング素子が接続されている第８配線とを含み、かつ、上記第３選択手段に接続された第３配線群と、上記第７スイッチに接続されスイッチング素子が接続されていない第９配線と、上記第８スイッチに接続されスイッチング素子が接続されている第１０配線とを含み、かつ、上記第４選択手段に接続された第４配線群とを備え、上記接続手段は、上記第３表示手段と第４表示手段との制御線同士を接続する制御線接続配線と、上記第１配線群と第３配線群とを接続する第２接続配線と、上記第２配線群と第４配線群とを接続する第３接続配線とを備えているものであってもよい。
【００２１】
上記構成によれば、互いに極性の異なるスイッチを選択手段に利用するため、簡素な回路構成で、選択手段を実装することができる。また、第１表示手段と第２表示手段とで、スイッチング素子が接続される配線が接続するスイッチの極性が互いに異なるため、共通の駆動信号を利用して、反転手段を設けることなく、いずれか一方の表示手段を駆動することができる。したがって、より簡素な回路構成とすることができる。
【００２２】
本発明の表示装置は、上記選択手段は、互いに極性が異なる第１スイッチと第２スイッチとからなる第１選択手段であり、上記表示手段は、上記制御線と、上記共通配線と、上記選択手段と、上記第１配線と、上記第２配線とを有する上記第１配線群とを備えた表示手段を複数有し、上記接続手段は、上記表示手段の制御線同士を接続する制御線接続配線と、上記第１配線群同士を接続する第４接続配線とを備え、上記制御手段から上記制御線に出力された制御信号の極性を反転させる反転手段を備えているものであってもよい。
【００２３】
上記構成によれば、互いに極性の異なるスイッチを選択手段に利用するため、簡素な回路構成で、選択手段を実装することができる。また、反転手段によって制御信号の極性を反転させることで、共有の駆動手段によって、同一構成の表示手段を選択的に駆動できる表示装置を実現できる。
【００２４】
本発明の表示装置は、第１駆動手段と第２駆動手段とを共有する表示装置であって、上記選択手段は、互いに極性が異なる第１スイッチと第２スイッチとからなる第１選択手段と、上記第１スイッチと極性が等しい第３スイッチと上記第２スイッチと極性が等しい第４スイッチとからなる第２選択手段とからなり、上記表示手段は、上記第１駆動手段からの駆動信号が入力され、かつ、上記第１選択手段に接続された第１共通配線と、上記第２駆動手段からの駆動信号が入力され、かつ、上記第２選択手段に接続された第２共通配線と、上記第１選択手段と、上記第２選択手段と、上記第１スイッチに接続された上記第１配線と、上記第２スイッチに接続された上記第２配線とを含む上記第１配線群と、上記第３スイッチに接続されたスイッチング素子が接続されている第５配線と、上記第４スイッチに接続されたスイッチング素子が接続されていない第６配線とを含み、かつ、上記第２選択手段に接続された第２配線群とを備えた表示手段を複数備え、上記接続手段は、上記表示手段の上記制御線同士を接続する制御線接続配線と、上記第１配線群同士を接続する第４接続配線と、上記第２配線群同士を接続する第５接続配線とを備え、上記制御手段から上記制御線に出力された制御信号の極性を反転させる反転手段を備えているものであってもよい。
【００２５】
上記構成によれば、互いに極性の異なるスイッチを選択手段に利用するため、簡素な回路構成で、選択手段を実装することができる。また、反転手段によって制御信号の極性を反転させることで、２つの駆動手段を共有し、同一構成の表示手段を選択的に駆動できる表示装置を実現できる。
【００２６】
本発明の表示手段において、上記反転手段は、上記制御線、または、上記接続手段に備えられているものであってもよい。
【００２７】
上記の構成によれば、制御線または接続配線に接続された反転手段によって制御信号の極性を反転させることで、同一構成の表示手段を接続して、表示手段を選択的に駆動する表示装置を実現できる。
【００２８】
【発明の実施の形態】
〔実施の形態１〕
本実施の１形態について、図１および図２に基づいて説明すれば以下の通りである。
【００２９】
図１は、本実施の形態に係る液晶表示装置の全体構成を示す概略図である。図１に示すように、本実施の形態に係る表示装置は、第１液晶表示部１ａ（表示手段・第１表示手段）と、第２液晶表示部１ｂ（表示手段・第２表示手段）と、これら２つの液晶表示部を選択的に駆動する単一のゲートドライバ２ａ（駆動手段・第１駆動手段・第２駆動手段）と、それぞれの液晶表示部を駆動する２つのソースドライバ３ｂと、第１液晶表示部１ａとゲートドライバ２ａとを接続するゲートドライバ接続配線４と、それぞれの液晶表示部とソースドライバ３ｂとを接続する２つのソースドライバ接続配線５と、第１液晶表示部１ａと第２液晶表示部１ｂとを互いに接続するフレキシブルプリント基板６ａ（接続手段）とを備えている。
【００３０】
単一のゲートドライバ２ａは、駆動信号であるゲート信号を出力する。このゲート信号は、ゲートドライバ接続配線４を経由して、第１液晶表示部１ａに入力される。その後ゲート信号は、第１液晶表示部１ａから出力されて、フレキシブルプリント基板６ａを経由して、第２液晶表示部１ｂに入力される。すなわち、ゲート信号は、第１液晶表示部１ａと第２液晶表示部１ｂとに、順次入力されることになる。言い換えると、２つの液晶表示部は、１つの駆動信号を共有することになる。これにより、単一のゲートドライバ２ａから出力されるゲート信号の数は、第１液晶表示部１ａと第２液晶表示部１ｂとに入力されるゲート信号の合計数の半分となる。
【００３１】
なお、ゲートドライバ２ａの具体的内部構成は特に図示しないが、上記した２つの液晶表示部を駆動させるためのゲート信号を出力することができる構成であれば、とくにどのようなものでも構わない。１つの液晶表示部を駆動させるための従来のゲートドライバを利用することもできる。また、ゲートドライバ接続配線４の具体的構成も特に図示しないが、ゲートドライバ２ａから出力されるゲート信号を、第１液晶表示部１ａに連絡させることができる構成であれば、どのようなものでも構わない。
【００３２】
２つのソースドライバ３ｂは、いずれも、駆動信号であるソース信号を出力する。ソース信号は、まず、ソースドライバ接続配線５を経由して、それぞれ対応する第１液晶表示部１ａや第２液晶表示部１ｂに入力される。すなわち、２つの液晶表示部は、ゲート信号の場合とは異なり、１つのソース信号を共有することはない。したがって、１つのソースドライバ３ｂから出力されるソース信号の数は、対応する１つの液晶表示部に入力されるソース信号の数と一致することになる。
【００３３】
なお、ソースドライバ３ｂの具体的構成は特に図示しないが、上記の液晶表示部を駆動させるためのソース信号を出力させることができる構成であれば、特にどのようなものでも構わない。また、ソースドライバ接続配線５の具体的構成も、特に図示しないが、ソースドライバ３ｂから出力されるソース信号を、第２液晶表示部１ｂに連絡させることができる構成であれば、どのようなものでも構わない。
【００３４】
単一のゲートドライバ２ａは、第１液晶表示部１ａと第２液晶表示部１ｂのどちらかを、選択的に駆動する。この選択的駆動は、それぞれの液晶表示部に備えられる選択部（選択手段）と、これらの選択部を制御する図示しない制御部（制御手段）により実現される。本実施形態では、この選択部は互いに極性の異なる２つのｃＭＯＳ構造のＴＦＴスイッチより構成され、スイッチのオン・オフを制御部が制御するが、詳細については後述する。なお、この図示しない制御部は、図１に示す構成要素とは独立して、表示装置内に単独で備えられても構わないが、ゲートドライバ２ｂに一体化されて備えられるのが、装置の構成が簡素になるため好ましい。
【００３５】
図２は、第１液晶表示部１ａ、第２液晶表示部１ｂ、およびフレキシブルプリント基板６ａの、具体的な回路構成を示す回路図である。図２においては、各画素を構成するＴＦＴ素子の接続方法を示している（後述の図３、４、６〜１０も同様）。図２に示すように、第１液晶表示部１ａは、ゲート信号を経由させる共通ゲートバスライン７（共通配線・第１共通配線）と、この共通ゲートバスライン７に接続する第１スイッチ８ａと、同じく共通ゲートバスライン７に接続するが、第１スイッチ８ａとは極性が異なる第２スイッチ８ｂと、第１スイッチ８ａに接続される第１ゲートバスライン９ａ（第１配線）と、第２スイッチ８ｂに接続される第２ゲートバスライン９ｂ（第２配線）と、第１ゲートバスライン９ａに接続される第１ＴＦＴ素子１０ａ（スイッチング素子）と、このＴＦＴ素子に接続されるソースバスライン１１と、第１スイッチ８ａと第２スイッチ８ｂとに接続される制御信号ライン（制御線）１２、とを備えている。これら極性の異なる第１スイッチ８ａと第２スイッチ８ｂとは、ゲート信号を選択して出力する選択部（選択手段）としての役割を担っている。また、第１ゲートバスライン９ａは第１ＴＦＴ素子１０ａのゲート電極に接続し、ソースバスライン１１は第１ＴＦＴ素子１０ａのソース電極に接続している。
【００３６】
なお、第１液晶表示部１ａに含まれるスイッチなどの構成要素の数は、図２に示される数に限定されるものではなく、第１液晶表示部１ａの物理的サイズや解像度に応じて、適宜変更されてよい。
【００３７】
また、フレキシブルプリント基板６ａは、図２に示すように、第１液晶表示部１ａの共通ゲートバスライン７と第２液晶表示部１ｂの共通ゲートバスライン７とを接続するゲートバスライン接続配線１７（第１接続配線）と、第１液晶表示部１ａの制御信号ライン１２と第２液晶表示部１ｂの制御信号ライン１２とを接続する制御信号ライン接続配線（制御線接続配線）１８とを備えている。
【００３８】
また、図２に示すように、第２液晶表示部１ｂは、ゲート信号を経由させる共通ゲートバスライン７と、この共通ゲートバスライン７に接続する第３スイッチ８ｃと、同じく共通ゲートバスライン７に接続するが、第３スイッチ８ｃとは極性が異なる第４スイッチ８ｄと、第３スイッチ８ｃに接続される第３ゲートバスライン（第３配線）９ｃと、第４スイッチ８ｄに接続される第４ゲートバスライン（第４配線）９ｄと、第４ゲートバスライン９ｄに接続される第２ＴＦＴ素子（スイッチング素子）１０ｂと、このＴＦＴ素子に接続されるソースバスライン１１と、第３スイッチ８ｃと第４スイッチ８ｄとに接続される制御信号ライン１２、とを備えている。これら極性の異なる第３スイッチ８ｃと第４スイッチ８ｄとは、ゲート信号を選択して出力する選択部（選択手段）としての役割を担っている。また、第４ゲートバスライン９ｄは第２ＴＦＴ素子１０ｂのゲート電極に接続し、ソースバスライン１１は第２ＴＦＴ素子１０ｂのソース電極に接続している。
【００３９】
なお、第２液晶表示部１ｂに含まれるスイッチなどの構成要素の数は、図２に示される数に限定されるものではなく、第２液晶表示部１ｂの物理的サイズや解像度に応じて、適宜変更されてよい。
【００４０】
上記した制御部の働きによって、単一のゲートドライバ２ａが、第１液晶表示部１ａと第２液晶表示部１ｂのいずれか一方を選択的に駆動する仕組みを、以下に説明する。なお、以下では、制御信号が正極性の場合に、第１スイッチ８ａと第３スイッチ８ｃとがオンになるものとする。
【００４１】
まず、共通のゲート信号によって、第１液晶表示部１ａが駆動され、第２液晶表示部１ｂが駆動されない場合を説明する。ゲートドライバ２ａからはゲート信号が、図示しない制御部からは、正極性の制御信号が出力される。ゲート信号も制御信号も、ゲートドライバ接続配線４を介して、まず第１液晶表示部１ａに入力される。第１液晶表示部１ａ中では、ゲート信号は、共通ゲートバスライン７を介して、第１スイッチ８ａと第２スイッチ８ｂとに入力される。制御信号は、制御信号ライン１２を経由して、やはり第１スイッチ８ａと第２スイッチ８ｂとに入力される。ここで、２つのスイッチに入力される制御信号の極性が正であるため、第１スイッチ８ａはオンになるが、第２スイッチ８ｂはオフになる。したがって、ゲート信号は、第１スイッチ８ａを通過するが、第２スイッチ８ｂを通過しない。そのため、ゲート信号は、分岐されている２つのゲートバスラインのうち、第１スイッチ８ａに接続されている第１ゲートバスライン９ａに、選択的に出力されることになる。この第１ゲートバスライン９ａには、スイッチング素子である第１ＴＦＴ素子１０ａが接続されており、ゲート信号が第１ＴＦＴ素子１０ａのゲート電極に入力されると、この素子は能動化する。したがって、第１液晶表示部１ａが駆動されることになる。
【００４２】
一方、上述の流れで第１ゲートバスライン９ａを経由したゲート信号は、ふたたび共通ゲートバスライン７に連絡する。次にゲート信号は、フレキシブルプリント基板６ａに備えられるゲートバスライン接続配線１７を経由して、第２液晶表示部１ｂの共通ゲートバスライン７に入力される。また、正極性の制御信号は、フレキシブルプリント基板６ａの制御信号ライン接続配線１８を経由して、第２液晶表示部１ｂの制御信号ライン１２に入力される。第２液晶表示部１ｂ中では、ゲート信号は、共通ゲートバスライン７を介して、第３スイッチ８ｃと第４スイッチ８ｄとに入力される。一方、制御信号は、制御信号ライン１２を介して、やはり第３スイッチ８ｃと第４スイッチ８ｄとに入力される。ここで、２つのスイッチに入力される制御信号の極性が正であるため、第３スイッチ８ｃはオンになるが、第４スイッチ８ｄはオフになる。したがって、ゲート信号は、第３スイッチ８ｃを通過するが、第４スイッチ８ｄを通過しない。そのため、ゲート信号は、分岐されている２つのゲートバスラインのうち、第３スイッチ８ｃに接続されている第３ゲートバスライン９ｃに、選択的に出力されることになる。この第３ゲートバスライン９ｃには、第２ＴＦＴ素子１０ｂは接続されていない。したがって、第１液晶表示部１ａとは異なり、素子の能動化が起こらず、第２液晶表示部１ｂは駆動されない。
【００４３】
以上のように、制御信号が正極性の場合には、共通のゲート信号によって、第１液晶表示部１ａは駆動されるが、第２液晶表示部１ｂは駆動されないことがわかる。
【００４４】
次に、共通のゲート信号によって、第１液晶表示部１ａは駆動されず、第２液晶表示部１ｂが駆動される場合を説明する。制御部からは負極性の制御信号が出力される。制御信号やゲート信号の具体的な流れは、上述されているため省略するが、スイッチの動作に着目すると、第２スイッチ８ｂと第４スイッチ８ｄとがオンになって、第１スイッチ８ａと第３スイッチ８ｃとがオフになる。したがって、第２スイッチ８ｂに接続されている第２ゲートバスライン９ｂと、第４スイッチ８ｄに接続されている第４ゲートバスライン９ｄとに、ゲート信号が選択的に出力される。このとき、第４ゲートバスライン９ｄには第２ＴＦＴ素子１０ｂが接続されているため、第２ＴＦＴ素子１０ｂのゲート電極にゲート信号が入力されて、第２液晶表示部１ｂは駆動される。一方、第２ゲートバスライン９ｂには第１ＴＦＴ素子１０ａが接続されていないため、第１液晶表示部１ａは駆動されない。すなわち、制御信号が負極性の場合には、第１液晶表示部１ａは駆動されないが、第２液晶表示部１ｂは駆動されることがわかる。
【００４５】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のゲート信号によって選択的に駆動されることになる。
【００４６】
〔実施の形態２〕
本発明の他の実施形態について、図１および図３に基づいて説明すれば以下の通りである。なお、上述した実施の形態で述べた構成要素と同一の機能を有する構成要素については同一の符号を付し、その説明を省略する。
【００４７】
本実施形態による液晶表示装置の全体構成は、図１に示すようなものであるが、液晶表示部としては、上記した第１液晶表示部１ａの制御信号ライン１２に、反転部（反転手段）であるインバータ１６が接続されている液晶表示部１ｃ、を２つ備えている。
【００４８】
図３は、２つの液晶表示部（表示手段）１ｃとフレキシブルプリント基板６ａの、具体的な回路構成を示す回路図である。図３に示すように、それぞれの液晶表示部１ｃは、制御信号ライン１２にインバータ１６が接続されているため、２つの液晶表示部１ｃに入力される制御信号の極性は、互いに異なることとなる。そのため、正極性の制御信号がゲートドライバ２ａから出力されると、一方の液晶表示部１ｃには、正極性の制御信号が、もう一方の液晶表示部１ｃには、負極性の制御信号がそれぞれ入力される。したがって、一方の液晶表示部１ｃでは、第１スイッチ８ａがオンになり、第１ＴＦＴ素子１０ａが能動化されて、液晶表示部が駆動する。しかし、もう一方の液晶表示部１ｃでは、第２スイッチ８ｂがオンになり、第１ＴＦＴ素子１０ａは能動化されず、液晶表示部は駆動されない。また、制御信号が負極性の場合は、駆動される液晶表示部１ｃが逆になる。すなわち、本実施の形態に係る液晶表示装置においては、共通のゲート信号によって、２つの液晶表示部１ｃのうちいずれか一方のみが選択的に駆動されることになる。
【００４９】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のゲート信号によって選択的に駆動されることになる。
【００５０】
〔実施の形態３〕
本発明の他の実施形態について、図１および図４に基づいて説明すれば以下の通りである。なお、上述した実施の形態で述べた構成要素と同一の機能を有する構成要素については同一の符号を付し、その説明を省略する。
【００５１】
本実施形態による液晶表示装置の全体構成は、図１に示すようなものであるが、液晶表示部としては、上述した第１液晶表示部１ａを２つ備えている。また、フレキシブルプリント基板６ａの制御信号ライン接続配線１８には、反転部（反転手段）であるインバータ１６が接続されている。
【００５２】
図４は、２つの第１液晶表示部１ａとフレキシブルプリント基板６ａの、具体的な回路構成を示す回路図である。図４に示すように、フレキシブルプリント基板６ａの制御信号ライン接続配線１８には、反転部（反転手段）であるインバータ１６が接続されている。そのため、一方の第１液晶表示部１ａに入力される制御信号は、この液晶表示部から出力されて、制御信号ライン接続配線１８を経由する際に、インバータ１６によって極性が反転される。したがって、この極性が反転された制御信号が、もう一方の第１液晶表示部１ａに入力されることになる。すなわち、２つの第１液晶表示部１ａに入力される制御信号は、互いに極性が異なることになる。
【００５３】
そのため、正極性の制御信号がゲートドライバ２ａから出力されると、一方の第１液晶表示部１ａには、正極性の制御信号が、もう一方の第１液晶表示部１ａには、負極性の制御信号がそれぞれ入力される。したがって、一方の第１液晶表示部１ａでは、第１スイッチ８ａがオンになり、第１ＴＦＴ素子１０ａが能動化されて、液晶表示部が駆動する。しかし、もう一方の第１液晶表示部１ａでは、第２スイッチ８ｂがオンになり、第１ＴＦＴ素子１０ａは能動化されず、液晶表示部は駆動されない。また、制御信号が負極性の場合は、駆動される第１液晶表示部１ａが逆になる。すなわち、本実施の形態に係る液晶表示装置においては、共通のゲート信号によって、２つの第１液晶表示部１ａのうち、いずれか一方のみが選択的に駆動されることになる。
【００５４】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のゲート信号によって選択的に駆動されることになる。
【００５５】
〔実施の形態４〕
本実施の１形態について、図５および図６に基づいて説明すれば以下の通りである。
【００５６】
図５は、本実施の形態に係る液晶表示装置の全体構成を示す概略図である。図５に示すように、本実施の形態に係る表示装置は、第１液晶表示部１ｄと、第２液晶表示部１ｅと、これら２つの液晶表示部を選択的に駆動する単一のソースドライバ（駆動手段・第１駆動手段）３ａと、それぞれの液晶表示部を駆動する２つのゲートドライバ２ｂと、第１液晶表示部１ｄとソースドライバ３ａとを接続するソースドライバ接続配線５と、それぞれの液晶表示部とゲートドライバ２ｂとを接続する２つのゲートドライバ接続配線４と、第１液晶表示部１ｄと第２液晶表示部１ｅとを互いに接続するフレキシブルプリント基板６ｂとを備えている。
【００５７】
単一のソースドライバ３ａは、駆動信号であるソース信号を出力する。このソース信号は、ソースドライバ接続配線５を経由して、第１液晶表示部１ｄに入力される。その後ソース信号は、第１液晶表示部１ｄから出力されて、フレキシブルプリント基板６ｂを経由して、第２液晶表示部１ｅに入力される。すなわち、ソース信号は、第１液晶表示部１ｄと第２液晶表示部１ｅとに、順次入力されることになる。言い換えると、２つの液晶表示部は、１つの駆動信号を共有することになる。これにより、単一のソースドライバ３ａから出力されるソース信号の数は、第１液晶表示部１ｄと第２液晶表示部１ｅとに入力されるソース信号の合計数の半分となる。
【００５８】
なお、ソースドライバ３ａの具体的内部構成は特に図示しないが、上記した２つの液晶表示部を駆動させるためのソース信号を出力することができる構成であれば、とくにどのようなものでも構わない。１つの液晶表示部を駆動させるための従来のソースドライバを利用することもできる。また、ソースドライバ接続配線５の具体的構成も特に図示しないが、ソースドライバ３ａから出力されるソース信号を、第１液晶表示部１ｄに連絡させることができる構成であれば、どのようなものでも構わない。
【００５９】
２つのゲートドライバ２ｂは、いずれも、駆動信号であるゲート信号を出力する。ゲート信号は、まず、ゲートドライバ接続配線４を経由して、それぞれ対応する第１液晶表示部１ｄや第２液晶表示部１ｅに入力される。すなわち、２つの液晶表示部は、ソース信号の場合とは異なり、１つのゲート信号を共有することはない。したがって、１つのゲートドライバ２ｂから出力されるゲート信号の数は、対応する１つの液晶表示部に入力されるゲート信号の数と一致することになる。
【００６０】
なお、ゲートドライバ２ｂの具体的構成は特に図示しないが、上記の液晶表示部を駆動させるためのゲート信号を出力させることができる構成であれば、特にどのようなものでも構わない。また、ゲートドライバ接続配線４の具体的構成も、特に図示しないが、ゲートドライバ２ｂから出力されるゲート信号を、第１液晶表示部１ｄや第２液晶表示部１ｅに連絡させることができる構成であれば、どのようなものでも構わない。
【００６１】
単一のソースドライバ３ａは、第１液晶表示部１ｄと第２液晶表示部１ｅのどちらかを、選択的に駆動する。この選択的駆動は、それぞれの液晶表示部に備えられる選択部（選択手段）と、これらの選択部を制御する図示しない制御部（制御手段）により実現される。本実施形態では、この選択部は互いに極性の異なる２つのスイッチより構成され、スイッチのオン・オフを制御部が制御するが、詳細については後述する。なお、この図示しない制御部は、図５に示す構成要素とは独立して、表示装置内に単独で備えられても構わないが、ソースドライバ３ａに一体化されて備えられるのが、装置の構成が簡素になるため好ましい。
【００６２】
図６は、第１液晶表示部１ｄ、第２液晶表示部１ｅ、およびフレキシブルプリント基板６ｂの、具体的な回路構成を示す回路図である。図６に示すように、第１液晶表示部１ｄは、ソース信号を経由させる共通ソースバスライン１３（共通配線・第２共通配線）と、この共通ソースバスライン１３に接続する第１スイッチ８ａと、同じく共通ソースバスライン１３に接続するが、第１スイッチ８ａとは極性が異なる第２スイッチ８ｂと、第１スイッチ８ａに接続される第１ソースバスライン１４ａ（第１配線）と、第２スイッチ８ｂに接続される第２ソースバスライン１４ｂ（第２配線）と、第１ソースバスライン１４ａに接続される第１ＴＦＴ素子１０ａと、このＴＦＴ素子に接続されるゲートバスライン１５と、第１スイッチ８ａと第２スイッチ８ｂとに接続される制御信号ライン１２、とを備えている。これら極性の異なる第１スイッチ８ａと第２スイッチ８ｂとは、ソース信号を選択して出力する選択部（選択手段）としての役割を担っている。また、ゲートバスライン１５は第１ＴＦＴ素子１０ａのゲート電極に接続し、第１ソースバスライン１４ａはの第１ＴＦＴ素子１０ａソース電極に接続している。
【００６３】
なお、第１液晶表示部１ｄに含まれるスイッチなどの構成要素の数は、図６に示される数に限定されるものではなく、第１液晶表示部１ｄの物理的サイズや解像度に応じて、適宜変更されてよい。
【００６４】
また、フレキシブルプリント基板６ｂは、図６に示すように、第１液晶表示部１ｄの共通ソースバスライン１３と第２液晶表示部１ｅの共通ソースバスライン１３とを接続するソースバスライン接続配線１９と、第１液晶表示部１ｄの制御信号ライン１２と第２液晶表示部１ｅの制御信号ライン１２とを接続する制御信号ライン接続配線１８とを備えている。
【００６５】
また、図６に示すように、第２液晶表示部１ｅは、ソース信号を経由させる共通ソースバスライン１３と、この共通ソースバスライン１３に接続する第３スイッチ８ｃと、同じく共通ソースバスライン１３に接続するが、第３スイッチ８ｃとは極性が異なる第４スイッチ８ｄと、第３スイッチ８ｃに接続される第３ソースバスライン１４ｃと、第４スイッチ８ｄに接続される第４ソースバスライン１４ｄと、第４ソースバスライン１４ｄに接続される第２ＴＦＴ素子１０ｂと、このＴＦＴ素子に接続されるゲートバスライン１５と、第３スイッチ８ｃと第４スイッチ８ｄとに接続される制御信号ライン１２、とを備えている。これら極性の異なる第３スイッチ８ｃと第４スイッチ８ｄとは、ソース信号を選択して出力する選択部（選択手段）としての役割を担っている。また、ゲートバスライン１５は第２ＴＦＴ素子１０ｂのゲート電極に接続し、第４ソースバスライン１４ｄは第２ＴＦＴ素子１０ｂのソース電極に接続している。
【００６６】
なお、第２液晶表示部１ｅに含まれるスイッチなどの構成要素の数は、図６に示される数に限定されるものではなく、第２液晶表示部１ｅの物理的サイズや解像度に応じて、適宜変更されてよい。
【００６７】
上記した制御部の働きによって、単一のソースドライバ３ａが、第１液晶表示部１ｄと第２液晶表示部１ｅのいずれか一方を選択的に駆動する仕組みを、以下に説明する。なお、以下では、制御信号が正極性の場合に、第１スイッチ８ａと第３スイッチ８ｃとがオンになるものとする。
【００６８】
まず、共通のソース信号によって、第１液晶表示部１ｄが駆動され、第２液晶表示部１ｅが駆動されない場合を説明する。ソースドライバ３ａからはソース信号が、図示しない制御部からは、正極性の制御信号が出力される。ソース信号も制御信号も、ソースドライバ接続配線５を介して、まず第１液晶表示部１ｄに入力される。第１液晶表示部１ｄ中では、ソース信号は、共通ソースバスライン１３を介して、第１スイッチ８ａと第２スイッチ８ｂとに入力される。制御信号は、制御信号ライン１２を経由して、やはり第１スイッチ８ａと第２スイッチ８ｂとに入力される。
【００６９】
ここで、２つのスイッチに入力される制御信号の極性が正であるため、第１スイッチ８ａはオンになるが、第２スイッチ８ｂはオフになる。したがって、ソース信号は、第１スイッチ８ａを通過するが、第２スイッチ８ｂを通過しない。そのため、ソース信号は、分岐されている２つのソースバスラインのうち、第１スイッチ８ａに接続されている第１ソースバスライン１４ａに、選択的に出力されることになる。この第１ソースバスライン１４ａには、スイッチング素子である第１ＴＦＴ素子１０ａが接続されている。したがって、ソース信号が第１ＴＦＴ素子１０ａのソース電極に入力されると、この素子は能動化する。したがって、第１液晶表示部１ｄが駆動されることになる。
【００７０】
一方、上述の流れで第１ソースバスライン１４ａを経由したソース信号は、ふたたび共通ソースバスライン１３に連絡する。次にソース信号は、フレキシブルプリント基板６ｂに備えられるソースバスライン接続配線１９を経由して、第２液晶表示部１ｅの共通ソースバスライン１３に入力される。また、正極性の制御信号は、フレキシブルプリント基板６ｂの制御信号ライン接続配線１８を経由して、第２液晶表示部１ｅの制御信号ライン１２に入力される。第２液晶表示部１ｅ中では、ソース信号は、共通ソースバスライン１３を介して、第３スイッチ８ｃと第４スイッチ８ｄとに入力される。一方、制御信号は、制御信号ライン１２を介して、やはり第３スイッチ８ｃと第４スイッチ８ｄとに入力される。
【００７１】
ここで、２つのスイッチに入力される制御信号の極性が正であるため、第３スイッチ８ｃはオンになるが、第４スイッチ８ｄはオフになる。したがって、ソース信号は、第３スイッチ８ｃを通過するが、第４スイッチ８ｄを通過しない。そのため、ソース信号は、分岐されている２つのゲートバスラインのうち、第３スイッチ８ｃに接続されている第３ソースバスライン１４ｃに、選択的に出力されることになる。この第３ソースバスライン１４ｃには、第２ＴＦＴ素子１０ｂは接続されていない。したがって、第１液晶表示部１ｄとは異なり、素子の能動化が起こらず、第２液晶表示部１ｅは駆動されない。
【００７２】
以上のように、制御信号が正極性の場合には、共通のソース信号によって、第１液晶表示部１ｄは駆動されるが、第２液晶表示部１ｅは駆動されないことがわかる。
【００７３】
次に、共通のソース信号によって、第１液晶表示部１ｄは駆動されず、第２液晶表示部１ｅが駆動される場合を説明する。制御部からは負極性の制御信号が出力される。制御信号やソース信号の具体的な流れは、上述されているため省略するが、スイッチの動作に着目すると、第２スイッチ８ｂと第４スイッチ８ｄとがオンになって、第１スイッチ８ａと第３スイッチ８ｃとがオフになる。したがって、第２スイッチ８ｂに接続されている第２ソースバスライン１４ｂと、第４スイッチ８ｄに接続されている第４ソースバスライン１４ｄとに、ソース信号が選択的に出力される。このとき、第４ソースバスライン１４ｄには第２ＴＦＴ素子１０ｂが接続されているため、第２液晶表示部１ｅは駆動される。一方、第２ソースバスライン１４ｂには第１ＴＦＴ素子１０ａが接続されていないため、第１液晶表示部１ｄは駆動されない。すなわち、制御信号が負極性の場合には、第１液晶表示部１ｄは駆動されないが、第２液晶表示部１ｅは駆動されることがわかる。
【００７４】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のソース信号によって選択的に駆動されることになる。
【００７５】
なお、図示しないが、本実施形態のように、ソースドライバ３ａを共有する表示装置においても、前記実施の形態２および３と同様に、第１液晶表示部１ｄまたは第２液晶表示部１ｅ同士を複数接続し、制御信号ライン１２上または制御信号ライン接続配線１８上にインバータ１６を設ける構成も可能である。ただし、第１液晶表示部１ｄのときは第１ソースバスライン１４ａ同士、第２液晶表示部１ｅのときには第３ソースバスライン１４ｃ同士をソースバスライン接続配線１９によって接続する。
【００７６】
〔実施の形態５〕
本実施の１形態について、図７および図８に基づいて説明すれば以下の通りである。
【００７７】
図７は、本実施の形態に係る液晶表示装置の全体構成を示す概略図である。図７に示すように、本実施の形態に係る表示装置は、第１液晶表示部（表示手段・第３表示手段）１ｆと、第２液晶表示部（表示手段・第４表示手段）１ｇと、これら２つの液晶表示部を選択的に駆動する単一のゲートドライバ（第１駆動手段）２ａと、やはりこれら２つの液晶表示部を選択的に駆動する単一のソースドライバ（第２駆動手段）３ａと、第１液晶表示部１ｆとゲートドライバ２ａとを接続するゲートドライバ接続配線４と、第１液晶表示部１ｆとソースドライバ３ａとを接続するソースドライバ接続配線５と、第１液晶表示部１ｆと第２液晶表示部１ｇとを互いに接続するフレキシブルプリント基板６ａと、やはり第１液晶表示部１ｆと第２液晶表示部１ｇとを互いに接続するフレキシブルプリント基板６ｂ、とを備えている。
【００７８】
単一のゲートドライバ２ａは、駆動信号であるゲート信号を出力する。このゲート信号は、ゲートドライバ接続配線４を経由して、第１液晶表示部１ｆに入力される。その後ゲート信号は、第１液晶表示部１ｆから出力されて、フレキシブルプリント基板６ａを経由して、第２液晶表示部１ｇに入力される。すなわち、ゲート信号は、第１液晶表示部１ｆと第２液晶表示部１ｇとに、順次入力されることになる。言い換えると、２つの液晶表示部は、１つのゲート信号を共有することになる。これにより、単一のゲートドライバ２ａから出力されるゲート信号の数は、第１液晶表示部１ｆと第２液晶表示部１ｇとに入力されるゲート信号の合計数の半分となる。
【００７９】
なお、ゲートドライバ２ａの具体的内部構成は特に図示しないが、上記した２つの液晶表示部を駆動させるためのゲート信号を出力することができる構成であれば、とくにどのようなものでも構わない。１つの液晶表示部を駆動させるための従来のゲートドライバを利用することもできる。また、ゲートドライバ接続配線４の具体的構成も特に図示しないが、ゲートドライバ２ａから出力されるゲート信号を、第１液晶表示部１ｆに連絡させることができる構成であれば、どのようなものでも構わない。
【００８０】
単一のソースドライバ３ａは、駆動信号であるソース信号を出力する。このソース信号は、ソースドライバ接続配線５を経由して、第１液晶表示部１ｆに入力される。その後ソース信号は、第１液晶表示部１ｆから出力されて、フレキシブルプリント基板６ｂを経由して、第２液晶表示部１ｇに入力される。すなわち、ソース信号は、第１液晶表示部１ｆと第２液晶表示部１ｇとに、順次入力されることになる。言い換えると、２つの液晶表示部は、１つのソース信号を共有することになる。これにより、単一のソースドライバ３ａから出力されるソース信号の数は、第１液晶表示部１ｆと第２液晶表示部１ｇとに入力されるソース信号の合計数の半分となる。
【００８１】
なお、ソースドライバ３ａの具体的内部構成は特に図示しないが、上記した２つの液晶表示部を駆動させるためのソース信号を出力することができる構成であれば、とくにどのようなものでも構わない。１つの液晶表示部を駆動させるための従来のソースドライバを利用することもできる。また、ソースドライバ接続配線５の具体的構成も特に図示しないが、ソースドライバ３ａから出力されるソース信号を、第１液晶表示部１ｆに連絡させることができる構成であれば、どのようなものでも構わない。
【００８２】
単一のゲートドライバ２ａおよび単一のソースドライバ３ａは、第１液晶表示部１ｆと第２液晶表示部１ｇのどちらかを、選択的に駆動する。この選択的駆動は、それぞれの液晶表示部に備えられる選択部（選択手段）と、これらの選択部を制御する図示しない制御部（制御手段）により実現される。本実施形態では、この選択部は互いに極性の異なる２つのスイッチより構成され、スイッチのオン・オフを制御部が制御するが、詳細については後述する。なお、この図示しない制御部は、図７に示す構成要素とは独立して、表示装置内に単独で備えられても構わないが、ゲートドライバ２ａに一体化されて備えられるのが、装置の構成が簡素になるため好ましい。
【００８３】
図８は、第１液晶表示部１ｆ、第２液晶表示部１ｇ、フレキシブルプリント基板６ａ、およびフレキシブルプリント基板６ｂの、具体的な回路構成を示す回路図である。図８に示すように、第１液晶表示部１ｆは、ゲート信号を経由させる共通ゲートバスライン７と、この共通ゲートバスライン７に接続する第１スイッチ８ａと、同じく共通ゲートバスライン７に接続するが、第１スイッチ８ａとは極性が異なる第２スイッチ８ｂと、第１スイッチ８ａに接続される第１ゲートバスライン９ａと、第２スイッチ８ｂに接続される第２ゲートバスライン９ｂと、ソース信号を経由させる共通ソースバスライン１３と、この共通ソースバスライン１３に接続する第３スイッチ８ｃと、同じく共通ソースバスライン１３に接続するが、第３スイッチ８ｃとは極性が異なる第４スイッチ８ｄと、第３スイッチ８ｃに接続される第５ソースバスライン（第５配線）１４ｅと、第４スイッチ８ｄに接続される第６ソースバスライン（第５配線）１４ｆと、第１ゲートバスライン９ａと第１ソースバスライン１４ａとに接続される第１ＴＦＴ素子１０ａと、第１スイッチ８ａ、第２スイッチ８ｂ、第３スイッチ８ｃ、および第４スイッチ８ｄに接続される制御信号ライン１２、とを備えている。
【００８４】
ここで、極性の異なる第１スイッチ８ａと第２スイッチ８ｂとは、ゲート信号を選択して出力する選択部（選択手段）としての役割を担っている。また、極性の異なる第３スイッチ８ｃと第４スイッチ８ｄとは、ソース信号を選択して出力する選択部（選択手段）としての役割を担っている。
【００８５】
また、第１ゲートバスライン９ａは第１ＴＦＴ素子１０ａのゲート電極に接続し、第５ソースバスライン１４ｅは第１ＴＦＴ素子１０ａのソース電極に接続している。
【００８６】
なお、第１液晶表示部１ｆに含まれるスイッチなどの構成要素の数は、図８に示される数に限定されるものではなく、第１液晶表示部１ａの物理的サイズや解像度に応じて、適宜変更されてよい。
【００８７】
また、フレキシブルプリント基板６ａは、図８に示すように、第１液晶表示部１ｆの共通ゲートバスライン７と第２液晶表示部１ｇの共通ゲートバスライン７とを接続するゲートバスライン接続配線（第２接続配線）１７と、第１液晶表示部１ｆの制御信号ライン１２と第２液晶表示部１ｇの制御信号ライン１２とを接続する制御信号ライン接続配線１８とを備えている。
【００８８】
また、図８に示すように、第２液晶表示部１ｇは、ゲート信号を経由させる共通ゲートバスライン７と、この共通ゲートバスライン７に接続する第５スイッチ８ｅと、同じく共通ゲートバスライン７に接続するが、第５スイッチ８ｅとは極性が異なる第６スイッチ８ｆと、第５スイッチ８ｅに接続される第５ゲートバスライン（第７配線）９ｅと、第６スイッチ８ｆに接続される第５ゲートバスライン（第８配線）９ｆと、ソース信号を経由させる共通ソースバスライン１３と、この共通ソースバスライン１３に接続する第７スイッチ８ｇと、同じく共通ソースバスライン１３に接続するが、第７スイッチ８ｇとは極性が異なる第８スイッチ８ｈと、第７スイッチ８ｇに接続される第７ソースバスライン（第９配線）１４ｇと、第８スイッチ８ｈに接続される第８ソースバスライン（第１０配線）１４ｈと、第５ゲートバスライン９ｆと第８ソースバスライン１４ｈとに接続される第２ＴＦＴ素子１０ｂと、第５スイッチ８ｅ、第６スイッチ８ｆ、第７スイッチ８ｇ、および第８スイッチ８ｈに接続される制御信号ライン１２、とを備えている。
【００８９】
ここで、極性の異なる第５スイッチ８ｅと第６スイッチ８ｆとは、ゲート信号を選択して出力する選択部（選択手段）としての役割を担っている。また、極性の異なる第７スイッチ８ｇと第８スイッチ８ｈとは、ソース信号を選択して出力する選択部（選択手段）としての役割を担っている。
【００９０】
また、第６ゲートバスライン９ｆは第１ＴＦＴ素子１０ａのゲート電極に接続し、第８ソースバスライン１４ｈは第２ＴＦＴ素子１０ｂのソース電極に接続している。
【００９１】
なお、第２液晶表示部１ｇに含まれるスイッチなどの構成要素の数は、図８に示される数に限定されるものではなく、第２液晶表示部１ｇの物理的サイズや解像度に応じて、適宜変更されてよい。
【００９２】
また、フレキシブルプリント基板６ｂは、図８に示すように、第１液晶表示部１ｆの共通ソースバスライン１３と第２液晶表示部１ｇの共通ソースバスライン１３とを接続するソースバスライン接続配線１９（第３続配線）を備えている。
【００９３】
上記した制御部の働きによって、単一のゲートドライバ２ａと単一のソースドライバ３ａとが、第１液晶表示部１ｆと第２液晶表示部１ｇのいずれか一方を選択的に駆動する仕組みを、以下に説明する。なお、以下では、制御信号が正極性の場合に、第１スイッチ８ａ、第３スイッチ８ｃ、第５スイッチ８ｅおよび第７スイッチ８ｇがオンになるものとする。
【００９４】
まず、共通のゲート信号および共通のソース信号によって、第１液晶表示部１ｆが駆動され、第２液晶表示部１ｇが駆動されない場合を説明する。ゲートドライバ２ａからはゲート信号が、ソースドライバ３ａからはソース信号が、そして図示しない制御部からは、正極性の制御信号が出力される。ゲート信号も制御信号も、ゲートドライバ接続配線４を介して、まず第１液晶表示部１ｆに入力される。ソース信号は、ソースドライバ接続配線５を介して、やはり第１液晶表示部１ｆに入力される。
【００９５】
第１液晶表示部１ｆ中では、ゲート信号は、共通ゲートバスライン７を介して、第１スイッチ８ａと第２スイッチ８ｂとに入力される。ソース信号は、共通ソースバスライン１３を介して、第３スイッチ８ｃと第４スイッチ８ｄとに入力される。さらに制御信号は、制御信号ライン１２を経由して、第１スイッチ８ａ、第２スイッチ８ｂ、第３スイッチ８ｃ、および第４スイッチ８ｄに入力される。ここで、４つのスイッチに入力される制御信号の極性が正であるため、第１スイッチ８ａと第３スイッチ８ｃはオンになるが、第２スイッチ８ｂと第４スイッチ８ｄはオフになる。
【００９６】
したがって、ゲート信号は、第１スイッチ８ａを通過するが、第２スイッチ８ｂを通過しない。また、ソース信号は、第３スイッチ８ｃを通過するが、第４スイッチ８ｄを通過しない。そのため、ゲート信号は、分岐されている２つのゲートバスラインのうち、第１スイッチ８ａに接続されている第１ゲートバスライン９ａに、選択的に出力されることになる。一方、ソース信号は、分岐されている２つのソースバスラインのうち、第３スイッチ８ｃに接続されている第５ソースバスライン１４ｅに、選択的に出力されることになる。
【００９７】
ここで、第１ゲートバスライン９ａと第５ソースバスライン１４ｅには、スイッチング素子である第１ＴＦＴ素子１０ａが接続されているため、ゲート信号は第１ＴＦＴ素子１０ａのゲート電極に、ソース信号は第１ＴＦＴ素子１０ａのソース電極に入力される。すると、この素子は能動化する。したがって、第１液晶表示部１ｆが駆動されることになる。
【００９８】
一方、上述の流れで第１ゲートバスライン９ａを経由したゲート信号は、ふたたび共通ゲートバスライン７に連絡する。また、第１ソースバスライン１４ａを経由したソース信号は、ふたたび共通ソースバスライン１３に連絡する。次にゲート信号は、フレキシブルプリント基板６ａに備えられるゲートバスライン接続配線１７を経由して、第２液晶表示部１ｇの共通ゲートバスライン７に入力される。また、ソース信号は、フレキシブルプリント基板６ｂに備えられるソースバスライン接続配線１９を経由して、第２液晶表示部１ｇの共通ソースバスライン１３に入力される。さらに、正極性の制御信号は、フレキシブルプリント基板６ａの制御信号ライン接続配線１８を経由して、第２液晶表示部１ｇの制御信号ライン１２に入力される。
【００９９】
第２液晶表示部１ｇ中では、ゲート信号は、共通ゲートバスライン７を介して、第５スイッチ８ｅと第６スイッチ８ｆとに入力される。また、ソース信号は、共通ソースバスライン１３を介して、第７スイッチ８ｇと第８スイッチ８ｈとに入力される。
【０１００】
一方、制御信号は、制御信号ライン１２を介して、第５スイッチ８ｅ、第６スイッチ８ｆ、第７スイッチ８ｇ、および第８スイッチ８ｈに入力される。ここで、４つのスイッチに入力される制御信号の極性が正であるため、第５スイッチ８ｅと第７スイッチ８ｇとはオンになるが、第６スイッチ８ｆと第８スイッチ８ｈとはオフになる。
【０１０１】
したがって、ゲート信号は、第５スイッチ８ｅを通過するが、第６スイッチ８ｆを通過しない。また、ソース信号は、第７スイッチ８ｇを通過するが、第８スイッチ８ｈを通過しない。そのため、ゲート信号は、分岐されている２つのゲートバスラインのうち、第５スイッチ８ｅに接続されている第５ゲートバスライン９ｅに、選択的に出力されることになる。一方、ソース信号は、分岐されている２つのソースバスラインのうち、第７スイッチ８ｇに接続されている第７ソースバスライン１４ｇに、選択的に出力されることになる。
【０１０２】
ここで、第５ゲートバスライン９ｅと第７ソースバスライン１４ｇには、スイッチング素子である第２ＴＦＴ素子１０ｂは接続されていない。したがって、第１液晶表示部１ｆとは異なり、素子の能動化が起こらず、第２液晶表示部１ｇは駆動されない。
【０１０３】
以上のように、制御信号が正極性の場合には、共通のゲート信号および共通のソース信号によって、第１液晶表示部１ｆは駆動されるが、第２液晶表示部１ｇは駆動されないことがわかる。
【０１０４】
次に、共通のゲート信号および共通のソース信号によって、第１液晶表示部１ｆは駆動されず、第２液晶表示部１ｇが駆動される場合を説明する。制御部からは負極性の制御信号が出力される。ゲート信号、ソース信号、および制御信号の具体的な流れは、上述されているため省略するが、スイッチの動作に着目すると、第２スイッチ８ｂ、第４スイッチ８ｄ、第６スイッチ８ｆ、および第８スイッチ８ｈがオンになって、第１スイッチ８ａ、第３スイッチ８ｃ、第５スイッチ８ｅ、および第７スイッチ８ｇとがオフになる。したがって、第２スイッチ８ｂに接続されている第２ゲートバスライン９ｂと、第６スイッチ８ｆに接続されている第６ゲートバスライン９ｆとに、ゲート信号が選択的に出力される。また、第４スイッチ８ｄに接続されている第２ソースバスライン１４ｂと、第８スイッチ８ｈに接続されている第８ソースバスライン１４ｈとに、ソース信号が選択的に出力される。
【０１０５】
このとき、第６ゲートバスライン９ｆと第８ソースバスライン１４ｈとには、第２ＴＦＴ素子１０ｂが接続されているため、第２液晶表示部１ｇは駆動される。一方、第２ゲートバスライン９ｂと第６ソースバスライン１４ｆとには、第１ＴＦＴ素子１０ａが接続されていないため、第１液晶表示部１ｆは駆動されない。
【０１０６】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のゲート信号によって選択的に駆動されることになる。
【０１０７】
〔実施の形態６〕
本発明の他の実施形態について、図７および図９に基づいて説明すれば以下の通りである。なお、上述した実施の形態で述べた構成要素と同一の機能を有する構成要素については同一の符号を付し、その説明を省略する。
【０１０８】
本実施形態による液晶表示装置の全体構成は、図９に示すようなものであるが、液晶表示部としては、上記した第１液晶表示部１ｆの制御信号ライン１２に、反転部（反転手段）であるインバータ１６が接続されている液晶表示部１ｈ、を２つ備えている。
【０１０９】
図９は、２つの液晶表示部１ｈ、フレキシブルプリント基板６ａ、およびフレキシブルプリント基板６ｂの、具体的な回路構成を示す回路図である。図９に示すように、それぞれの液晶表示部１ｈは、制御信号ライン１２にインバータ１６が接続されているため、２つの液晶表示部１ｈに入力される制御信号の極性は、互いに異なることとなる。
【０１１０】
そのため、正極性の制御信号が制御部から出力されると、一方の液晶表示部１ｈには、正極性の制御信号が、もう一方の液晶表示部１ｈには、負極性の制御信号がそれぞれ入力される。
【０１１１】
したがって、一方の液晶表示部１ｈでは、第１スイッチ８ａと第３スイッチ８ｃとがオンになるため、ゲート信号およびソース信号により第１ＴＦＴ素子１０ａが能動化されて、液晶表示部が駆動する。しかし、もう一方の液晶表示部１ｈでは、第２スイッチ８ｂと第４スイッチ８ｄとがオンになるため、第１ＴＦＴ素子１０ａは能動化されず、液晶表示部は駆動されない。また、制御信号が負極性の場合は、駆動される液晶表示部１ｈが逆になる。すなわち、本実施の形態に係る液晶表示装置においては、共通のゲート信号およびソース信号によって、２つの液晶表示部１ｈのうちいずれか一方のみが選択的に駆動されることになる。
【０１１２】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のゲート信号およびソース信号によって選択的に駆動されることになる。
【０１１３】
〔実施の形態７〕
本発明の他の実施形態について、図７および図１０に基づいて説明すれば以下の通りである。なお、上述した実施の形態で述べた構成要素と同一の機能を有する構成要素については同一の符号を付し、その説明を省略する。
【０１１４】
本実施形態による液晶表示装置の全体構成は、図７に示すようなものであるが、液晶表示部としては、上述した第１液晶表示部１ｆを２つ備えている。また、フレキシブルプリント基板６ａの制御信号ライン接続配線１８には、反転部（反転手段）であるインバータ１６が接続されている。
【０１１５】
図１０は、２つの第１液晶表示部１ｆ、フレキシブルプリント基板６ａ、およびフレキシブルプリント基板６ｂの、具体的な回路構成を示す回路図である。図１０に示すように、フレキシブルプリント基板６ａの制御信号ライン接続配線１８には、反転部（反転手段）であるインバータ１６が接続されている。そのため、一方の第１液晶表示部１ｆに入力される制御信号は、この液晶表示部から出力されて、制御信号ライン接続配線１８を経由する際に、インバータ１６によって極性が反転される。したがって、この極性が反転された制御信号が、もう一方の第１液晶表示部１ｆに入力されることになる。すなわち、２つの第１液晶表示部１ｆに入力される制御信号は、互いに極性が異なることになる。
【０１１６】
そのため、正極性の制御信号が制御部から出力されると、一方の第１液晶表示部１ｆには、正極性の制御信号が、もう一方の第１液晶表示部１ｆには、負極性の制御信号がそれぞれ入力される。したがって、一方の第１液晶表示部１ｆでは、第１スイッチ８ａと第３スイッチ８ｃとがオンになり、第１ＴＦＴ素子１０ａが能動化されて、液晶表示部が駆動する。
【０１１７】
しかし、もう一方の第１液晶表示部１ｆでは、第２スイッチ８ｂと第４スイッチ８ｄとがオンになり、第１ＴＦＴ素子１０ａは能動化されず、液晶表示部は駆動されない。また、制御信号が負極性の場合は、駆動される第１液晶表示部１ｆが逆になる。すなわち、本実施の形態に係る液晶表示装置においては、共通のゲート信号およびソース信号によって、２つの第１液晶表示部１ｆのうち、いずれか一方のみが選択的に駆動されることになる。
【０１１８】
以上のように、本実施の形態による表示装置においては、制御信号の極性に応じて、２つの液晶表示部のいずれか一方が選択的に駆動される。言い換えると、上記の制御部から出力される制御信号が、極性の異なる２つのスイッチからなる選択部を制御することで、２つの液晶表示部のいずれか一方が、共通のゲート信号によって選択的に駆動されることになる。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０１２０】
例えば、本発明に係る表示装置は、上述した実施形態では液晶表示装置として記述されているが、これに限定されるものではない。すなわち、本発明に係る表示装置は、プラズマディスプレイ装置、プラスチック液晶ディスプレイ装置、有機ＥＬディスプレイ装置、フィールドエミッションディスプレイ装置、ＬＥＤ（発光ダイオード）ディスプレイ装置であってもよい。また、これらの表示装置は、具体的には、例えば折り畳み可能な携帯電話機、遊戯装置、ノート型パーソナルコンピュータのような形態をとることができる。しかし、これらの表示装置に限定されるものではなく、複数の表示部を有する表示装置であれば、どのような表示装置にも適用可能である。
【０１２１】
また、上述した実施形態では、液晶表示部の数は２つであるが、それ以上であってもよい。その場合、液晶表示部内にある選択部（選択手段）に含まれるスイッチの数を、表示装置に備えられる液晶表示部の数に一致させ、それぞれのスイッチが互いに範囲が重ならない異なる電圧範囲でオン・オフが切り替わる設計にすれば、本発明による表示装置を実現することができる。
【０１２２】
また、上述した実施形態では、選択部（選択手段）を極性の異なるスイッチを２つによって実現しているが、これに限られるものではない。ようは、共通のゲート信号やソース信号などの駆動信号を、分岐する複数の配線のいずれか１つに出力する構成であれば、どのような構成の選択部でもかまわない。
【０１２３】
また、上述した実施の形態では、スイッチとしてＴＦＴスイッチを用いているが、これに限定されるものではない。ようは、入力される制御信号の極性に応じて、オン・オフが切り替わる構造のスイッチあれば、どのようなスイッチでも可能である。例えば、電気機械複合系よりなる機械的部品で作られたメカニカルスイッチを用いることも可能である。適用可能なスイッチの中では、ＴＦＴなどの半導体スイッチが、スイッチング速度が速く、長寿命で、小型化・軽量化に優れることから好ましい。
【０１２４】
また、上記実施形態では、スイッチング素子としてＴＦＴ素子を用いているが、これに限定されるものではない。たとえばスイッチング素子は、アモルファスシリコンＴＦＴ素子、ポリシリコン（多結晶）ＴＦＴ素子、金属−絶縁体−金属（ＭＩＭ）素子であってもよい。
【０１２５】
【発明の効果】
本発明の表示装置は、以上のように、上記共有の駆動手段から上記複数の表示手段に共通の駆動信号が出力され、上記共有の駆動手段から上記複数の表示手段に出力される駆動信号の合計数は、上記表示手段のそれぞれに入力される駆動信号の数の合計数未満であることを特徴としている。
【０１２６】
上記構成によれば、共有の駆動手段から出力される共通の駆動信号の数が、複数の表示手段のそれぞれに入力される駆動信号の合計数よりも少ない構成となっているため、共有の駆動手段に設けられる、駆動信号出力用の接続端子数は、上記の表示手段に設けられる、駆動信号入力用の接続端子の合計数よりも少ない構成となる。したがって、共有の駆動手段からの共通の駆動信号を、複数の表示手段に出力することによって、表示することができる。その結果、余分な接続端子を駆動手段に設ける必要が無く、駆動手段の物理的サイズを低減することができるという効果を奏する。また、この駆動手段を実装する際に、余分な製造プロセスを省くことができるため、製造コストを低減することができる。さらに、駆動手段の物理的サイズや製造コストが低減するため、この駆動手段を有する装置全体の物理的サイズや製造コストも低減させることができるという効果も奏する。
【０１２７】
また、本発明の表示装置は、少なくとも１つの共有の駆動手段によって駆動されればよいので、例えばゲートドライバやソースドライバなど、異なる目的で利用される２種類の駆動手段を共有する表示装置において、両方の駆動手段の物理的サイズを低減することもできる。したがって、表示装置全体の物理的サイズを、さらに低減させることができる。また、両方の駆動手段の製造コストを低減できるため、ひいては、表示装置全体の製造コストも、さらに低減させることができる。
【０１２８】
本発明の表示装置は、表示すべき表示手段を選択する選択手段と、上記共有の駆動手段から上記表示手段に出力される駆動信号に応じて、上記選択手段を制御する制御手段とを備えているものであってもよい。
【０１２９】
上記構成によれば、制御手段が、駆動信号に応じて、表示すべき表示手段を駆動するように選択手段を制御するため、共通の駆動信号を用いて複数の表示手段を選択的に駆動することができる。これにより、単一の駆動手段より出力された共通の駆動信号を、複数の表示手段で共有できるため、駆動手段に設けられる、駆動信号出力用の接続端子の数を、複数の表示手段に設けられる、駆動信号入力用の接続端子の合計数よりも少なくすることができる。その結果、共有の駆動手段の物理的サイズを低減し、表示装置の製造コストを低減することができるという効果を奏する。
【０１３０】
本発明の表示装置は、上記制御手段からの制御信号が入力され、かつ、上記選択手段に接続された制御線と、上記共有の駆動手段からの駆動信号が入力され、かつ、上記選択手段に接続された共通配線と、スイッチング素子が接続された第１配線と、スイッチング素子が接続されていない第２配線とを含み、かつ、上記選択手段に接続された第１配線群とを備え、上記制御手段は、表示すべき上記表示手段の上記第１配線に、上記駆動信号を出力するように、上記選択手段を制御するものであってもよい。
【０１３１】
上記構成によれば、共通の駆動信号を利用して、複数の表示手段のうち、任意の表示手段におけるスイッチング素子を駆動させることができる一方で、それ以外の表示手段のスイッチング素子を駆動することなく、駆動信号を次に続く表示手段に経由させることができる。すなわち、共通の駆動信号で複数の表示手段を選択的に駆動できるため、共有の駆動手段に設けられる、共通の駆動信号出力用の接続端子数を、複数の表示手段に設けられる、共有の駆動信号入力用の接続端子の合計数よりも少なくすることができる。その結果、第１駆動手段の物理的サイズを低減し、表示装置の製造コストを低減することができる。
【０１３２】
本発明の表示装置は、上記選択手段は、互いに極性が異なる第１スイッチと第２スイッチとからなる第１選択手段と、上記第１スイッチと極性が等しい第３スイッチと、上記第２スイッチと極性が等しい第４スイッチとからなる第２選択手段とからなり、上記表示手段は、第１表示手段と第２表示手段とを備え、上記第１表示手段は、上記制御線と、上記共通配線と、上記第１選択手段と、上記第１スイッチに接続された上記第１配線と、上記第２スイッチに接続された上記第２配線とを含む上記第１配線群とを備え、上記第２表示手段は、上記制御線と、上記共通配線と、上記第２選択手段と、上記第３スイッチに接続されたスイッチング素子が接続されていない第３配線と、上記第４スイッチに接続されたスイッチング素子が接続されている第４配線とを含む第２配線群とを備え、上記接続手段は、上記第１表示手段と第２表示手段との制御線同士を接続する制御線接続配線と、上記第１配線群と第２配線群とを接続する第１接続配線とを備えているものであってもよい。
【０１３３】
上記構成によれば、互いに極性の異なるスイッチを選択手段に利用するため、簡素な回路構成で、選択手段を実装することができる。また、第１表示手段と第２表示手段とで、スイッチング素子が接続される配線が接続するスイッチの極性が互いに異なるため、共通の駆動信号を利用して、反転手段を設けることなく、いずれか一方の表示手段を駆動することができる。したがって、より簡素な回路構成とすることができるという効果を奏する。
【０１３４】
本発明の表示装置は、第３表示手段と第４表示手段とを備え、第１駆動手段と第２駆動手段とを共有する表示装置であって、上記選択手段は、互いに極性が異なる第１スイッチと第２スイッチとからなる第１選択手段と、上記第１スイッチと極性が等しい第３スイッチと、上記第２スイッチと極性が等しい第４スイッチとからなる第２選択手段と、上記第１スイッチと極性が等しい第５スイッチと、第２スイッチと極性が等しい第６スイッチとからなる第３選択手段と、上記第１スイッチと極性が等しい第７スイッチと、第２スイッチと極性が等しい第８スイッチとからなる第４選択手段とからなり、上記第３表示手段は、上記制御線と、上記第１駆動手段からの駆動信号が入力され、かつ、上記第１選択手段に接続された第１共通配線と、上記第２駆動手段からの駆動信号が入力され、かつ、上記第２選択手段に接続された第２共通配線と、上記第１選択手段と、上記第２選択手段と、上記第１スイッチに接続された上記第１配線と、上記第２スイッチに接続された上記第２配線とを含む上記第１配線群と、上記第３スイッチに接続されたスイッチング素子が接続されている第５配線と、上記第４スイッチに接続されたスイッチング素子が接続されていない第６配線とを含み、かつ、上記第２選択手段に接続された第３配線群とを備え、上記第４表示手段は、上記制御線と、上記第１共通配線と、上記第２共通配線と、上記第３選択手段と、上記第４選択手段と、上記第５スイッチに接続されたスイッチング素子が接続されていない第７配線と、上記第６スイッチに接続されスイッチング素子が接続されている第８配線とを含み、かつ、上記第３選択手段に接続された第３配線群と、上記第７スイッチに接続されスイッチング素子が接続されていない第９配線と、上記第８スイッチに接続されスイッチング素子が接続されている第１０配線とを含み、かつ、上記第４選択手段に接続された第４配線群とを備え、上記接続手段は、上記第３表示手段と第４表示手段との制御線同士を接続する制御線接続配線と、上記第１配線群と第３配線群とを接続する第２接続配線と、上記第２配線群と第４配線群とを接続する第３接続配線とを備えているものであってもよい。
【０１３５】
上記構成によれば、互いに極性の異なるスイッチを選択手段に利用するため、簡素な回路構成で、選択手段を実装することができる。また、第１表示手段と第２表示手段とで、スイッチング素子が接続される配線が接続するスイッチの極性が互いに異なるため、共通の駆動信号を利用して、反転手段を設けることなく、いずれか一方の表示手段を駆動することができる。したがって、より簡素な回路構成とすることができるという効果を奏する。
【０１３６】
本発明の表示装置は、上記選択手段は、互いに極性が異なる第１スイッチと第２スイッチとからなる第１選択手段であり、上記表示手段は、上記制御線と、上記共通配線と、上記選択手段と、上記第１配線と、上記第２配線とを有する上記第１配線群とを備えた表示手段を複数有し、上記接続手段は、上記表示手段の制御線同士を接続する制御線接続配線と、上記第１配線群同士を接続する第４接続配線とを備え、上記制御手段から上記制御線に出力された制御信号の極性を反転させる反転手段を備えているものであってもよい。
【０１３７】
上記構成によれば、互いに極性の異なるスイッチを選択手段に利用するため、簡素な回路構成で、選択手段を実装することができる。また、反転手段によって制御信号の極性を反転させることで、共有の駆動手段によって、同一構成の表示手段を選択的に駆動できる表示装置を実現できるという効果を奏する。
【０１３８】
本発明の表示装置は、第１駆動手段と第２駆動手段とを共有する表示装置であって、上記選択手段は、互いに極性が異なる第１スイッチと第２スイッチとからなる第１選択手段と、上記第１スイッチと極性が等しい第３スイッチと上記第２スイッチと極性が等しい第４スイッチとからなる第２選択手段とからなり、上記表示手段は、上記第１駆動手段からの駆動信号が入力され、かつ、上記第１選択手段に接続された第１共通配線と、上記第２駆動手段からの駆動信号が入力され、かつ、上記第２選択手段に接続された第２共通配線と、上記第１選択手段と、上記第２選択手段と、上記第１スイッチに接続された上記第１配線と、上記第２スイッチに接続された上記第２配線とを含む上記第１配線群と、上記第３スイッチに接続されたスイッチング素子が接続されている第５配線と、上記第４スイッチに接続されたスイッチング素子が接続されていない第６配線とを含み、かつ、上記第２選択手段に接続された第２配線群とを備えた表示手段を複数備え、上記接続手段は、上記表示手段の上記制御線同士を接続する制御線接続配線と、上記第１配線群同士を接続する第４接続配線と、上記第２配線群同士を接続する第５接続配線とを備え、上記制御手段から上記制御線に出力された制御信号の極性を反転させる反転手段を備えているものであってもよい。
【０１３９】
上記構成によれば、互いに極性の異なるスイッチを選択手段に利用するため、簡素な回路構成で、選択手段を実装することができる。また、反転手段によって制御信号の極性を反転させることで、２つの駆動手段を共有し、同一構成の表示手段を選択的に駆動できる表示装置を実現できるという効果を奏する。
【０１４０】
本発明の表示手段において、上記反転手段は、上記制御線、または、上記接続手段に備えられているものであってもよい。
【０１４１】
上記の構成によれば、制御線または接続配線に接続された反転手段によって制御信号の極性を反転させることで、同一構成の表示手段を接続して、表示手段を選択的に駆動する表示装置を実現できるという効果を奏する。
【図面の簡単な説明】
【図１】本発明の実施の形態に係る表示装置の全体構成を示すブロック図である。
【図２】本発明の第１の実施の形態に係る表示装置に備えられる液晶表示部とフレキシブルプリント基板の回路構成を示す回路図である。
【図３】本発明の第２の実施の形態に係る表示装置に備えられる液晶表示部とフレキシブルプリント基板の回路構成を示す回路図である。
【図４】本発明の第３の実施の形態に係る表示装置に備えられる液晶表示部とフレキシブルプリント基板の回路構成を示す回路図である。
【図５】本発明の第４の実施の形態に係る表示装置の全体構成を示すブロック図である。
【図６】本発明の第４の実施の形態に係る表示装置に備えられる液晶表示部とフレキシブルプリント基板の回路構成を示す回路図である。
【図７】本発明の第５、第６、第７の実施の形態に係る表示装置の全体構成を示すブロック図である。
【図８】本発明の第５の実施の形態に係る表示装置に備えられる液晶表示部とフレキシブルプリント基板の回路構成を示す回路図である。
【図９】本発明の第６の実施の形態に係る表示装置に備えられる液晶表示部とフレキシブルプリント基板の回路構成を示す回路図である。
【図１０】本発明の第７の実施の形態に係る表示装置に備えられる液晶表示部とフレキシブルプリント基板の回路構成を示す回路図である。
【符号の説明】
１ａ    第１液晶表示部（表示手段・第１表示手段）
１ｂ    第２液晶表示部（表示手段・第２表示手段）
１ｃ    液晶表示部（表示手段）
１ｄ    第１液晶表示部（表示手段・第１表示手段）
１ｅ    第２液晶表示部（表示手段・第２表示手段）
１ｆ    第１液晶表示部（表示手段・第３表示手段）
１ｇ    第２液晶表示部（表示手段・第４表示手段）
１ｈ    液晶表示部（表示手段）
２ａ    ゲートドライバ（駆動手段・第１駆動手段・第２駆動手段）
２ｂ    ゲートドライバ
３ａ    ソースドライバ（駆動手段・第１駆動手段・第２駆動手段）
３ｂ    ソースドライバ
４      ゲートドライバ接続配線
５      ソースドライバ接続配線
６ａ    フレキシブルプリント基板（接続手段）
６ｂ    フレキシブルプリント基板（接続手段）
７      共通ゲートバスライン（共通配線・第１共通配線）
８ａ    第１スイッチ
８ｂ    第２スイッチ
８ｃ    第３スイッチ
８ｄ    第４スイッチ
８ｅ    第５スイッチ
８ｆ    第６スイッチ
８ｇ    第７スイッチ
８ｈ    第８スイッチ
９ａ    第１ゲートバスライン（第１配線）
９ｂ    第２ゲートバスライン（第２配線）
９ｃ    第３ゲートバスライン（第３配線）
９ｄ    第４ゲートバスライン（第４配線）
９ｅ    第５ゲートバスライン（第７配線）
９ｆ    第６ゲートバスライン（第８配線）
１０ａ  第１ＴＦＴ素子（スイッチング素子）
１０ｂ  第２ＴＦＴ素子（スイッチング素子）
１１    ソースバスライン
１２    制御信号ライン（制御線）
１３    共通ソースバスライン（共通配線・第２共通配線）
１４ａ  第１ソースバスライン（第１配線）
１４ｂ  第２ソースバスライン（第２配線）
１４ｃ  第３ソースバスライン（第３配線）
１４ｄ  第４ソースバスライン（第４配線）
１４ｅ  第５ソースバスライン（第５配線）
１４ｆ  第６ソースバスライン（第６配線）
１４ｇ  第７ソースバスライン（第９配線）
１４ｈ  第８ソースバスライン（第１０配線）
１５    ゲートバスライン
１６    インバータ（反転手段）
１７    ゲートバスライン接続配線（第１・第２・第４接続配線）
１８    制御信号ライン接続配線（制御線接続配線）
１９    ソースバスライン接続配線（第３・第５接続配線）
【図１】
2005055467.tif 000003
【図２】
2005055467.tif 000004
【図３】
2005055467.tif 000005
【図４】
2005055467.tif 000006
【図５】
2005055467.tif 000007
【図６】
2005055467.tif 000008
【図７】
2005055467.tif 000009
【図８】
2005055467.tif 000010
【図９】
2005055467.tif 000011
【図１０】
2005055467.tif 000012